(57)【要約】  圧縮機を駆動させる圧縮機モータ４１と、三相交流電源３と、圧縮機モータ４１とを接続する電源線を流れる電流を検出する電流検出器２１、２３と、電流検出器２１、２３が接続され、電流検出器２１、２３の検出結果に応じて電力に含まれる高調波成分を抑制する高調波抑制装置１７と、電流検出器２１、２３の検出結果に応じて圧縮機モータ４１を制御する制御回路１５と、電流検出器２１、２３の検出結果に応じて三相交流電源３の欠相状態が欠相異常であるか否かを判定する欠相処理部１９と、を備え、欠相処理部１９は、欠相異常と判定した場合、制御回路１５及び高調波抑制装置１７のそれぞれに停止命令を供給する。
2015033427.tif 000002
【特許請求の範囲】
【請求項１】
三相交流電源から供給される電力に応じて動作する圧縮機を備えた空気調和装置であって、
前記圧縮機を駆動させる圧縮機モータと、
前記三相交流電源と、前記圧縮機モータとを接続する電源線を流れる電流を検出する電流検出器と、
前記電流検出器が接続され、前記電流検出器の検出結果に応じて前記電力に含まれる高調波成分を抑制する高調波抑制装置と、
前記電流検出器の検出結果に応じて前記圧縮機モータを制御する制御回路と、
前記電流検出器の検出結果に応じて前記三相交流電源の欠相状態が欠相異常であるか否かを判定する欠相処理部と、
を備え、
前記欠相処理部は、
前記欠相異常と判定した場合、前記制御回路及び前記高調波抑制装置のそれぞれに停止命令を供給する
ことを特徴とする空気調和装置。
【請求項２】
前記高調波抑制装置は、
前記欠相処理部が組み込まれ、
前記電流検出器の検出結果を前記欠相処理部に供給し、
前記停止命令を受けた場合、当該高調波抑制装置を停止し、
前記欠相処理部は、
前記停止命令として、前記制御回路に電源異常信号を供給し、
前記制御回路は、
前記電源異常信号を受けた場合、前記圧縮機モータを停止させる
ことを特徴とする請求項１に記載の空気調和装置。
【請求項３】
前記高調波抑制装置は、
前記電流検出器の検出結果である電流値を前記制御回路に供給し、
前記停止命令を受けた場合、当該高調波抑制装置を停止し、
前記制御回路は、
前記欠相処理部が組み込まれ、
前記停止命令を受けた場合、前記圧縮機モータを停止させる
ことを特徴とする請求項１に記載の空気調和装置。
【請求項４】
前記電源線に印加される電圧に基づいて前記欠相異常を検知する欠相検知部をさらに備え、
前記欠相処理部は、
前記欠相検知部から検知結果が供給された場合、前記検知結果に基づいて前記欠相異常を判定するものであって、
前記高調波抑制装置は、
前記欠相検知部及び前記欠相処理部が組み込まれ、
前記停止命令を受けた場合、当該高調波抑制装置を停止し、
前記欠相処理部は、
前記停止命令として、前記制御回路に電源異常信号を供給し、
前記制御回路は、
前記電源異常信号を受けた場合、前記圧縮機モータを停止させる
ことを特徴とする請求項１に記載の空気調和装置。
【請求項５】
前記電源線に印加される電圧に基づいて前記欠相異常を検知する欠相検知部をさらに備え、
前記欠相処理部は、
前記欠相検知部から検知結果が供給された場合、前記検知結果に基づいて前記欠相異常を判定するものであって、
前記高調波抑制装置は、
前記欠相検知部が組み込まれ、
前記検知結果を前記制御回路に供給し、
前記停止命令を受けた場合、当該高調波抑制装置を停止し、
前記制御回路は、
前記欠相処理部が組み込まれ、
前記停止命令を受けた場合、前記圧縮機モータを停止させる
ことを特徴とする請求項１に記載の空気調和装置。
【発明の詳細な説明】
【技術分野】
【０００１】
本発明は、空気調和装置に関する。
【背景技術】
【０００２】
従来の空気調和装置のうち、高調波抑制装置が設けられた空気調和装置があった。高調波抑制装置は、高調波の発生を抑制すると共に、電流検出器の接続状態に応じて三相交流電源の欠相状態が欠相異常であるか否かを判定する。高調波抑制装置を用いた三相交流電源の欠相状態の判定の結果、三相交流電源の欠相状態が欠相異常であれば、空気調和装置は、高調波抑制装置の動作を停止する（例えば、特許文献１参照）。【０００３】
また、従来の空気調和装置のうち、電流検出器の検出結果と、電流基準値とに基づいて三相交流電源の欠相状態が欠相異常であるか否かを判定する空気調和装置があった。このような空気調和装置は、三相交流電源の欠相状態が欠相異常であれば、遮断回路を用いてインバータ回路を遮断保護することで動作を停止する（例えば、特許文献２参照）。
【先行技術文献】
【特許文献】
【０００４】
【特許文献１】特開２００１−９１６００号公報（段落［００６７］）
【特許文献２】特開平５−１０３４９６号公報（段落［００２４］）
【発明の概要】
【発明が解決しようとする課題】
【０００５】
しかし、従来の空気調和装置（特許文献２）は、高調波抑制装置とは独立して三相交流電源の欠相状態が欠相異常であるか否かを判定する。同様に、従来の高調波抑制装置（特許文献１）は、空気調和装置とは独立して三相交流電源の欠相状態が欠相異常であるか否かを判定する。よって、空気調和装置及び高調波抑制装置のそれぞれが独自に三相交流電源の欠相状態が欠相異常であるか否かを判定するため、全体として、同一の機能が冗長な構成で実現されていた。よって、部品点数が増大することで、コストがかかるという問題点があった。【０００６】
また、空気調和装置が三相交流電源の欠相状態が欠相異常であるか否かを判定した場合、空気調和装置は遮断回路を用いて空気調和装置の動作を停止したが、高調波抑制装置が三相交流電源の欠相状態を判定した場合、高調波抑制装置が設けられた空気調和装置は、高調波抑制装置の動作を停止するだけであって、空気調和装置そのものの動作を停止しなかった。よって、空気調和装置が確実に保護されない場合があった。【０００７】
したがって、従来においては、空気調和装置にコストがかかり、三相交流電源の欠相状態が欠相異常であっても空気調和装置が確実に保護されない場合があるという問題点があった。【０００８】
本発明は、上記のような問題点を解決するためになされたもので、空気調和装置のコストを削減すると共に、三相交流電源の欠相状態が欠相異常であっても空気調和装置を確実に保護することができる空気調和装置を提供することを目的とするものである。
【課題を解決するための手段】
【０００９】
本発明に係る空気調和装置は、三相交流電源から供給される電力に応じて動作する圧縮機を備えた空気調和装置であって、前記圧縮機を駆動させる圧縮機モータと、前記三相交流電源と、前記圧縮機モータとを接続する電源線を流れる電流を検出する電流検出器と、前記電流検出器が接続され、前記電流検出器の検出結果に応じて前記電力に含まれる高調波成分を抑制する高調波抑制装置と、前記電流検出器の検出結果に応じて前記圧縮機モータを制御する制御回路と、前記電流検出器の検出結果に応じて前記三相交流電源の欠相状態が欠相異常であるか否かを判定する欠相処理部と、を備え、前記欠相処理部は、前記欠相異常と判定した場合、前記制御回路及び前記高調波抑制装置のそれぞれに停止命令を供給するものである。
【発明の効果】
【００１０】
本発明は、部品点数を削減すると共に、三相交流電源の欠相状態が欠相異常である場合には高調波抑制装置及び空気調和装置のそれぞれの動作を停止させるため、空気調和装置のコストを削減すると共に、三相交流電源の欠相状態が欠相異常であっても空気調和装置を確実に保護することができるという効果を有する。
【図面の簡単な説明】
【００１１】
【図１】本発明の実施の形態１における空気調和装置１の駆動回路構成の一例を示す図である。
【図２】本発明の実施の形態１における高調波抑制装置１７に組み込まれた場合の欠相処理部１９の機能構成の一例を示す図である。
【図３】本発明の実施の形態１における欠相処理部１９の制御例を説明するフローチャートである。
【図４】本発明の実施の形態１における試運転時に三相交流電源３の欠相状態を判定する空気調和装置１の制御例を説明するフローチャートである。
【図５】本発明の実施の形態１における試運転時及び通常運転時に三相交流電源３の欠相状態を判定する空気調和装置１の制御例を説明するフローチャートである。
【図６】本発明の実施の形態２における空気調和装置１の駆動回路構成の一例を示す図である。
【図７】本発明の実施の形態２における制御回路１５に組み込まれた場合の欠相処理部１９の機能構成の一例を示す図である。
【図８】本発明の実施の形態３における空気調和装置１の駆動回路構成の一例を示す図である。
【図９】本発明の実施の形態３における高調波抑制装置１７に組み込まれた場合の欠相検知部７１及び欠相処理部７３の機能構成の一例を示す図である。
【図１０】本発明の実施の形態４における空気調和装置１の駆動回路構成の一例を示す図である。
【図１１】本発明の実施の形態４における高調波抑制装置１７に組み込まれた場合の欠相検知部９１及び制御回路１５に含まれる欠相処理部９３のそれぞれの機能構成の一例を示す図である。
【発明を実施するための形態】
【００１２】
以下、本発明の実施の形態について、図面を用いて詳細に説明する。なお、本発明の実施の形態の動作を行うプログラムを記述するステップは、記載された順序に沿って時系列に行われる処理であるが、必ずしも時系列に処理されなくても、並列的又は個別に実行される処理をも含んでもよい。
【００１３】
また、本実施の形態で説明される各機能をハードウェアで実現するか、ソフトウェアで実現するかは問わない。つまり、本実施の形態で説明される各ブロック図は、ハードウェアのブロック図と考えても、ソフトウェアの機能ブロック図と考えてもよい。例えば、各ブロック図は、回路デバイス等のハードウェアで実現されてもよく、図示しないプロセッサ等の演算装置上で実行されるソフトウェアで実現されてもよい。
【００１４】
また、本実施の形態で説明されるブロック図の各ブロックは、その機能が実施されればよく、それらの各ブロックで構成が分離されなくてもよい。なお、本実施の形態１〜４のそれぞれにおいて、特に記述しない項目については実施の形態１〜４と同様とし、同一の機能及び構成については同一の符号を用いて述べることとする。また、本実施の形態１〜４のそれぞれは、単独で実施されてもよく、組み合わされて実施されてもよい。いずれの場合においても、下記で説明する有利な効果を奏することとなる。また、本実施の形態で説明する各種具体的な設定例は一例を示すだけであり、特にこれらに限定されない。
【００１５】
実施の形態１．
図１は、本発明の実施の形態１における空気調和装置１の駆動回路構成の一例を示す図である。詳細については後述するが、本実施の形態１の要旨は、空気調和装置１の部品点数を削減すると共に、三相交流電源３の欠相状態が欠相異常である場合には高調波抑制装置１７及び空気調和装置１のそれぞれの動作を停止させることで、空気調和装置１のコストを削減すると共に、三相交流電源３の欠相状態が欠相異常であっても空気調和装置１を確実に保護することである。
【００１６】
以下、本実施の形態１の詳細について順に説明する。図１に示すように、空気調和装置１は、室外ユニット５と、室内ユニット７とを備え、室外ユニット５及び室内ユニット７のそれぞれに三相交流電源３から電力が供給される。
【００１７】
また、室外ユニット５及び室内ユニット７は、冷媒配管（図示せず）を介して接続される。室外ユニット５及び室内ユニット７は、圧縮機モータ４１（後述する）が駆動することで、冷凍サイクルが形成される冷媒回路（図示せず）が構成される。
【００１８】
室内ユニット７は、例えば、室内等の空気調和対象となる空間に設けられ、室外ユニット５と連係して動作することで、熱交換された空気等を室内等に供給する。室外ユニット５は、例えば、屋外等の空気調和対象とならない空間に設けられ、室内ユニット７からの各種指令に応じて動作する。室外ユニット５は、例えば、コンバータ回路１１、インバータ回路１２、インバータ制御回路１３、制御回路１５、高調波抑制装置１７、電流検出器２１、電流検出器２３、及び圧縮機モータ４１を備える。
【００１９】
コンバータ回路１１は、三相交流電源３と、インバータ回路１２との間に設けられる。コンバータ回路１１は、三相交流電源３から供給された交流を整流して直流に変換する。コンバータ回路１１は、例えば、交流リアクトル、ダイオードブリッジ、シャント抵抗、パワースイッチ素子、及び電解コンデンサ等から形成され、交流を整流し、整流した直流を平滑化し、平滑化した直流をインバータ回路１２に供給する。なお、三相交流電源３は、例えば、商用電源である。
【００２０】
インバータ回路１２は、コンバータ回路１１と、圧縮機モータ４１との間に設けられる。インバータ回路１２は、インバータ制御回路１３の指令に応じて、コンバータ回路１１から供給された平滑化された直流をＰＷＭ（Ｐｕｌｓｅ  Ｗｉｄｔｈ  Ｍｏｄｕｌａｔｉｏｎ）信号に変換する。インバータ回路１２は、ＰＷＭ信号を圧縮機（図示せず）内部に設けられた圧縮機モータ４１に供給することで、圧縮機モータ４１を駆動する。
【００２１】
具体的には、インバータ回路１２は、例えば、スナバコンデンサ、シャント抵抗、及びパワーモジュール等（いずれも図示せず）で形成される。パワーモジュールは、コンバータ回路１１から供給された平滑化された直流をスイッチングすることでＰＷＭ信号を生成する。パワーモジュールは、生成したＰＷＭ信号を圧縮機モータ４１に供給する。圧縮機モータ４１は、供給されたＰＷＭ信号で回転磁界が生じて回転する。
【００２２】
インバータ制御回路１３は、制御回路１５からの指令に応じて、パワーモジュールのドライバ（図示せず）を制御する。よって、インバータ制御回路１３は、各種条件に適したスイッチング周波数でパワーモジュール内部に実装されているスイッチング素子、例えば、ワイドバンドギャップ素子をスイッチングさせる。この結果、圧縮機モータ４１は、各種条件に応じた回転速度で回転し、出力トルクを生成する。よって、圧縮機が条件に応じて駆動され、冷媒回路（図示せず）内を冷媒が循環することで、空気調和装置１は冷凍サイクルが形成される。
【００２３】
圧縮機モータ４１は、例えば、ステータと、ロータとで形成されるブラシレス直流モータである。圧縮機モータ４１は、パワーモジュールから供給されたＰＷＭ信号でステータに回転磁界が生じる。よって、ロータは回転し、ロータに固定されているクランクシャフトが回転する。クランクシャフトは、例えば、クランクシャフトの回転に連動して偏芯回転するクランクシャフト上偏芯部及びクランクシャフト下偏芯部を備え、クランクシャフト上偏芯部及びクランクシャフト下偏芯部の偏芯回転で圧縮機に供給される冷媒が圧縮され、圧縮された冷媒が圧縮機の吐出管から外部に吐出される（いずれも図示せず）。
【００２４】
制御回路１５は、例えば、ＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）を主体として構成され、インバータ制御回路１３及び高調波抑制装置１７を制御する。制御回路１５は、室内ユニット７と各種信号を送受信する。制御回路１５は、室内ユニット７と各種信号を送受信することで、室内ユニット７と、室外ユニット５とを連係して動作させる。
【００２５】
電流検出器２１は、例えば、ＣＴ（Ｃｕｒｒｅｎｔ  Ｔｒａｎｓｆｏｒｍｅｒ）で構成され、三相交流電源３のうち、Ｒ相電流値を検出し、検出結果を高調波抑制装置１７に供給する。電流検出器２３は、例えば、ＣＴで構成され、三相交流電源３のうち、Ｔ相電流値を検出し、検出結果を高調波抑制装置１７に供給する。高調波抑制装置１７は、電流検出器２１及び電流検出器２３のそれぞれの検出結果に応じて、インバータ回路１２で発生する高調波電流を抑制する。
【００２６】
例えば、高調波抑制装置１７は、電流検出器２１及び電流検出器２３のそれぞれの検出結果から高調波成分を抽出する。高調波抑制装置１７は、三相交流電源３から供給される電力に含まれる入力電流を検出する。高調波抑制装置１７は、コンバータ回路１１の補償制御量を求める。高調波抑制装置１７は、上記で説明した高調波成分、入力電流、及び補償制御量に基づいて、コンバータ回路１１に含まれるパワースイッチ素子の開閉制御をすることで、インバータ回路１２で発生する高調波電流を抑制する。なお、上記で説明した高調波を抑制する動作は一例であって、特にこれに限定されない。
【００２７】
高調波抑制装置１７は、例えば、欠相処理部１９が構成される。詳細については後述するが、欠相処理部１９は、電流検出器２１及び電流検出器２３のそれぞれの検出結果に基づいて、三相交流電源３の欠相状態が欠相異常であるか否かを判定し、三相交流電源３の欠相状態が欠相異常であると判定した場合、高調波抑制装置１７及び圧縮機モータ４１に動作停止命令を供給する。なお、上記の説明では、欠相処理部１９が高調波抑制装置１７に構成される一例について説明したが、欠相処理部１９が構成される場所は、後述するように、特にこれに限定されない。
【００２８】
ここで、インバータ回路１２に含まれるパワーモジュールについて説明する。パワーモジュールは、上記で説明したように、例えば、ワイドバンドギャップ素子で形成され、各種条件に応じた周波数の交流を生成する。ワイドバンドギャップ素子は、窒化ガリウム（ＧａＮ）等の窒化物半導体、炭化ケイ素（ＳｉＣ）、又はダイヤモンド等のような半導体であって、バンドギャップが２（ｅＶ）よりも大きく、耐熱性が高い。
【００２９】
例えば、窒化ガリウム（ＧａＮ）のバンドギャップは、３．４（ｅＶ）であり、炭化ケイ素（ＳｉＣ）のバンドギャップは、３．２（ｅＶ）である。また、例えば、窒化ガリウム（ＧａＮ）の絶縁破壊電界強度は、３．０（ＭＶ／ｃｍ）であり、炭化ケイ素（ＳｉＣ）の絶縁破壊電界強度は、３．０（ＭＶ／ｃｍ）である。また、従来から回路素子の材料として利用されているシリコン（Ｓｉ）は、バンドギャップが１．１（ｅＶ）であり、絶縁破壊電界強度が０．３（ＭＶ／ｃｍ）である。
【００３０】
絶縁破壊電界強度が大きく、バンドギャップ幅が大きい素子は、耐圧を維持しつつ、従来の素子と比べてその厚さを薄くしてオン抵抗を低くさせることができる。オン抵抗を低くさせることができる素子は、電力損失を低減させることができる。電力損失を低減させる素子は、従来の素子と比べて、発熱量が減る。発熱量が減る素子がモジュールに搭載されれば、そのモジュールが小型化されて熱容量が小さくなったとしても、温度は上昇しにくくなる。
【００３１】
ここで、バンドギャップとは、物質内部で、電子の存在できないエネルギー領域のことである。また、ここで、絶縁破壊電界強度とは、半導体又は絶縁体において、絶縁破壊を引き起こす最大電界強度である。上記の説明を考慮すると、ワイドバンドギャップ素子は、従来のシリコンで形成される素子と比べ、バンドギャップ幅がおおよそ３倍広く、絶縁破壊電界強度がおおよそ１０倍大きい。よって、ワイドバンドギャップ素子は、耐熱性又は耐電圧性が、従来のシリコンで形成される素子と比べて向上している。耐熱性が向上している素子は、従来の素子で高温とみなす温度帯であっても動作することができる。よって、ワイドバンドギャップ素子を用いたモジュールは、冷却構造が小型化される。
【００３２】
さらに、窒化ガリウム（ＧａＮ）及び炭化ケイ素（ＳｉＣ）は、シリコン（Ｓｉ）と比べ、電界飽和速度が速い。例えば、窒化ガリウム（ＧａＮ）の電界飽和速度は、２．７（１×１０７ｃｍ／ｓ）であり、炭化ケイ素（ＳｉＣ）の電界飽和速度は、２．０（１×１０７ｃｍ／ｓ）であり、シリコン（Ｓｉ）の電界飽和速度は、１．０（１×１０７ｃｍ／ｓ）である。電界飽和速度が速い素子は、高周波で駆動することできるので、周辺部品を小型化することができる。
【００３３】
なお、コンバータ回路１１、インバータ回路１２、インバータ制御回路１３、制御回路１５、及び高調波抑制装置１７は、例えば、電気品箱に設けられるが、特にこれに限定されない。例えば、インバータ回路１２、インバータ制御回路１３、及び制御回路１５が電気品箱に設けられ、高調波抑制装置１７は、電気品箱とは別途設けられてもよい。
【００３４】
なお、上記の説明では、高調波抑制装置１７が室外ユニット５の内部に設けられる一例について説明したが、特にこれに限定されない。例えば、高調波抑制装置１７は、室外ユニット５の外部に設けられてもよい。また、例えば、高調波抑制装置１７は、室内ユニット７の内部に設けられてもよい。また、例えば、高調波抑制装置１７は、室内ユニット７の外部に設けられてもよい。また、例えば、高調波抑制装置１７は、室外ユニット５及び室内ユニット７とは独立して設けられてもよい。つまり、高調波抑制装置１７は、室外ユニット５及び室内ユニット７のそれぞれと共に、空気調和装置１全体として有機的に稼働して、高調波成分が抑制されればよい。
【００３５】
次に、欠相処理部１９に関する機能及び動作の詳細について、図２〜５を用いて説明する。図２は、本発明の実施の形態１における高調波抑制装置１７に組み込まれた場合の欠相処理部１９の機能構成の一例を示す図である。図２に示すように、欠相処理部１９は、例えば、欠相検知部５１、欠相判定部５３、試運転判定部５５、及び欠相判定始動部５７を備える。なお、高調波抑制装置１７は、例えば、自機の高調波抑制装置１７の動作を停止させる動作停止部２５を備える。
【００３６】
欠相検知部５１は、電流値演算部６１及び閾値判定部６３を備える。電流値演算部６１は、電流検出器２１の検出結果であるＲ相電流値と、電流検出器２３の検出結果であるＴ相電流値と、に基づいて、Ｓ相電流値を求める。閾値判定部６３は、閾値αが設定される。閾値αは、任意の値であって、Ｒ相電流値、Ｓ相電流値、及びＴ相電流値のそれぞれが閾値α以上であるか否かの判定に用いられる。
【００３７】
つまり、閾値判定部６３は、閾値αを用いることで、各相の電流値の大きさを判定し、三相交流電源３の欠相状態が欠相異常であるか否かを判定する。閾値判定部６３は、Ｒ相電流値、Ｓ相電流値、及びＴ相電流値のうち、１つでも閾値α以上であれば、三相交流電源３の欠相状態が欠相異常であると判定し、例えば、欠相検知フラグを１に設定する。なお、三相交流電源３の欠相状態が欠相異常と判定された場合の結果が欠相検知フラグに設定れる一例について説明したが、特にこれに限定されない。
【００３８】
ところで、負荷側の負荷状態に応じて、欠相状態時におけるＲ相電流値、Ｓ相電流値、及びＴ相電流値は異なる。例えば、三相交流電源３が欠相状態時であったとしても、負荷側の誘導負荷を考慮する必要がない場合、負荷側に過電流が流れないと想定できる。このような場合、例えば、過電流に相当する値が閾値αに設定されたとしても、欠相処理部１９は、閾値αを用いて欠相異常と判定する動作を実行する必要がない。
【００３９】
なお、負荷側の誘導負荷を考慮する必要がない場合とは、例えば、空気調和装置１が、冷媒が寝込むのを防止するために、二相のみに高周波欠相電流を流すことで圧縮機モータ４１を意図的に加熱させ、圧縮機（図示せず）に溜まる液冷媒を加熱させるような状況である。
【００４０】
一方、例えば、三相交流電源３が欠相状態であって、負荷側の誘導負荷を考慮する必要がある場合、負荷側に過電流が流れる虞があると想定できる。このような場合、例えば、過電流に相当する値が閾値αに設定されれば、欠相処理部１９は、閾値αを用いて欠相異常と判定する動作を実行することができる。なお、負荷側の誘導負荷を考慮する必要がある場合とは、例えば、空気調和装置１が試運転を開始するとき、又は、空気調和装置１が通常運転を実施しているときである。
【００４１】
なお、閾値αの値は、三相交流電源３と、負荷側との結線状態に応じて適宜変更されてもよい。例えば、閾値αは、特定の一定値に設定されてもよく、結線状態に応じて相ごとに異なる値に設定されてもよい。
【００４２】
欠相判定部５３は、欠相検知部５１の検知結果に応じて、空気調和装置１の室外ユニット５及び高調波抑制装置１７のそれぞれに動作停止命令を供給する。欠相判定部５３は、例えば、動作停止命令として欠相判定フラグを１に設定し、設定した欠相判定フラグを動作停止部２５及び制御回路１５に供給する。なお、欠相判定部５３の動作停止命令として欠相判定フラグが用いられる一例について説明したが、特にこれに限定されない。
【００４３】
欠相判定部５３は、例えば、欠相判定始動部５７から供給される試運転処理開始フラグに応じて、空気調和装置１の室外ユニット５及び高調波抑制装置１７に動作停止命令を供給するか否かを判定する。例えば、空気調和装置１が試運転処理を開始した場合、試運転判定部５５で試運転処理開始フラグに１が設定され、欠相判定部５３は、試運転処理開始フラグが１である場合、空気調和装置１の室外ユニット５及び高調波抑制装置１７に動作停止命令を供給する。
【００４４】
なお、上記で説明した試運転処理開始フラグの設定は一例であって、特にこれに限定されない。また、試運転処理が開始されたか否かを示すものとして試運転処理開始フラグが用いられる一例について説明したが、特にこれに限定されない。
【００４５】
欠相判定部５３は、例えば、欠相判定始動部５７から供給される空気調和装置運転状態フラグに応じて、空気調和装置１の室外ユニット５及び高調波抑制装置１７に動作停止命令を供給するか否かを判定する。例えば、空気調和装置１が通常運転状態である場合、空気調和装置運転状態フラグに１が設定され、欠相判定部５３は、空気調和装置運転状態フラグが１である場合、空気調和装置１の室外ユニット５及び高調波抑制装置１７に動作停止命令を供給する。
【００４６】
なお、上記で説明した空気調和装置運転状態フラグの設定は一例であって、特にこれに限定されない。また、空気調和装置１が通常運転状態であるか否かを示すものとして空気調和装置運転状態フラグが用いられる一例について説明したが、特にこれに限定されない。
【００４７】
高調波抑制装置１７は、例えば、動作停止部２５に欠相判定フラグが供給され、動作停止部２５が欠相判定フラグに基づいて、動作を停止する判断をした場合、動作を停止する。制御回路１５は、例えば、欠相判定フラグが供給され、欠相判定フラグに基づいて、動作を停止する判断をした場合、インバータ制御回路１３に圧縮機モータ４１の動作を停止する命令を供給する。
【００４８】
欠相判定フラグは、例えば、予め設定された異常信号であるロジック信号として欠相処理部１９から制御回路１５に供給される。なお、上記の説明では、欠相判定フラグが用いられる一例について説明したが、特にこれに限定されない。要するに、制御回路１５に三相交流電源３の欠相状態が欠相異常である旨が伝達されればよい。
【００４９】
インバータ制御回路１３は、制御回路１５から圧縮機モータ４１の動作を停止する命令を供給された場合、インバータ回路１２に動作停止指令を供給する。インバータ回路１２は、インバータ制御回路１３から動作停止指令を供給された場合、圧縮機モータ４１の駆動を停止させる。この結果、三相交流電源３が欠相異常と判定された場合、室外ユニット５に動作を停止する命令が供給されるため、確実に空気調和装置１の動作が停止する。
【００５０】
なお、制御回路１５は、欠相判定フラグに基づいて、動作を停止する判断をした場合、室内ユニット７に動作を停止する指令を供給してもよい。この結果、三相交流電源３が欠相異常と判定された場合、室内ユニット７にも直接的に動作を停止する命令が供給されるため、さらに確実に空気調和装置１の動作が停止する。
【００５１】
なお、室内ユニット７に直接的に動作を停止する指令が供給されない場合であっても、室内ユニット７は、室外ユニット５と各種情報を互いに送受信しているため、室外ユニット５の運転状態を判断できる。よって、室内ユニット７は、室内ユニット７に直接的に動作を停止する指令が供給されない場合であっても、室外ユニット５の運転状態に応じて、自機である室内ユニット７の動作を停止することができる。
【００５２】
図３は、本発明の実施の形態１における欠相処理部１９の制御例を説明するフローチャートである。図３に示すように、ステップＳ１１及びステップＳ１２の処理は、電流値取得処理である。また、ステップＳ１３の処理は、電流値演算処理である。また、ステップＳ１４〜ステップＳ１８の処理は、閾値判定処理である。
【００５３】
（ステップＳ１１）
欠相処理部１９は、Ｒ相電流値、例えば、Ｉｒを取得する。
【００５４】
（ステップＳ１２）
欠相処理部１９は、Ｔ相電流値、例えば、Ｉｔを取得する。
【００５５】
なお、ステップＳ１１の処理及びステップＳ１２の処理は、何れの処理が先であっても後であってもよく、また、同時に処理されてもよい。
【００５６】
（ステップＳ１３）
欠相処理部１９は、Ｒ相電流値、例えば、Ｉｒ及びＴ相電流値、例えば、Ｉｔに基づいてＳ相電流値、例えば、Ｉｓを求める。具体的には、欠相処理部１９は、ＩｒにＩｔを加算したものに−１を乗算することで、Ｉｓを求める。
【００５７】
（ステップＳ１４）
欠相処理部１９は、Ｒ相電流値、例えば、Ｉｒが閾値α以上であるか否かを判定する。欠相処理部１９は、Ｒ相電流値、例えば、Ｉｒが閾値α以上である場合、ステップＳ１８に進む。一方、欠相処理部１９は、Ｒ相電流値、例えば、Ｉｒが閾値α以上でない場合、ステップＳ１５に進む。
【００５８】
（ステップＳ１５）
欠相処理部１９は、Ｔ相電流値、例えば、Ｉｔが閾値α以上であるか否かを判定する。欠相処理部１９は、Ｔ相電流値、例えば、Ｉｔが閾値α以上である場合、ステップＳ１８に進む。一方、欠相処理部１９は、Ｔ相電流値、例えば、Ｉｔが閾値α以上でない場合、ステップＳ１６に進む。
【００５９】
（ステップＳ１６）
欠相処理部１９は、Ｓ相電流値、例えば、Ｉｓが閾値α以上であるか否かを判定する。欠相処理部１９は、Ｓ相電流値、例えば、Ｉｓが閾値α以上である場合、ステップＳ１８に進む。一方、欠相処理部１９は、Ｓ相電流値、例えば、Ｉｓが閾値α以上でない場合、ステップＳ１７に進む。
【００６０】
なお、ステップＳ１４〜ステップＳ１６の処理は、何れの処理が先であっても後であってもよく、また、同時に処理されてもよい。
【００６１】
（ステップＳ１７）
欠相処理部１９は、電源、すなわち、三相交流電源３が欠相異常でないと判定し、各種処理を終了する。つまり、欠相処理部１９は、Ｒ相電流値、Ｔ相電流値、及びＳ相電流値の何れも閾値α以上でない場合、三相交流電源３が欠相異常でないと判定する。
【００６２】
（ステップＳ１８）
欠相処理部１９は、電源、すなわち、三相交流電源３が欠相異常であると判定し、各種処理を終了する。つまり、欠相処理部１９は、Ｒ相電流値、Ｔ相電流値、及びＳ相電流値の何れか１つでも閾値α以上である場合、三相交流電源３が欠相異常であると判定する。
【００６３】
なお、上記の説明では、欠相処理部１９が、各相の電流値の大きさに基づいて、三相交流電源３が欠相異常であるか否かを判定する一例について説明したが、特にこれに限定されない。例えば、欠相処理部１９が、三相交流電源３が欠相異常であるか否かを、各相の電流値と、それぞれに対応する力率とに基づいて判定してもよい。また、例えば、欠相処理部１９が、三相交流電源３が欠相異常であるか否かを、後述するように、各相の電圧値に基づいて判定してもよい。
【００６４】
図４は、本発明の実施の形態１における試運転時に三相交流電源３の欠相状態を判定する空気調和装置１の制御例を説明するフローチャートである。ステップＳ３２の欠相検知処理は、上記で説明したステップＳ１１〜ステップＳ１８の処理に対応する。また、ステップＳ３５及びステップＳ３６の処理は、欠相異常時処理に対応する。
【００６５】
（ステップＳ３１）
空気調和装置１は、ユニットの試運転処理が開始されたか否かを判定する。空気調和装置１は、ユニットの試運転処理が開始された場合、ステップＳ３２に進む。一方、空気調和装置１は、ユニットの試運転処理が開始されない場合、ステップＳ３１に戻る。なお、ユニットは、室外ユニット５及び室内ユニット７を含む意味で用いることとする。
【００６６】
（ステップＳ３２）
空気調和装置１は、欠相検知処理を実行する。
【００６７】
（ステップＳ３３）
空気調和装置１は、電源、すなわち、三相交流電源３が欠相異常であるか否かを判定する。空気調和装置１は、電源、すなわち、三相交流電源３が欠相異常である場合、ステップＳ３５に進む。一方、空気調和装置１は、電源、すなわち、三相交流電源３が欠相異常でない場合、ステップＳ３４に進む。
【００６８】
（ステップＳ３４）
空気調和装置１は、ユニットの試運転処理を終了し、各種処理を終了する。
【００６９】
（ステップＳ３５）
空気調和装置１は、ユニットの運転を停止する。
【００７０】
（ステップＳ３６）
空気調和装置１は、高調波抑制装置１７を停止し、各種処理を終了する。
【００７１】
なお、上記で説明したステップＳ３５及びステップＳ３６の処理は、何れの処理が先であっても後であってもよく、また、同時に処理されてもよい。
【００７２】
図５は、本発明の実施の形態１における試運転時及び通常運転時に三相交流電源３の欠相状態を判定する空気調和装置１の制御例を説明するフローチャートである。ステップＳ５２の欠相検知処理は、上記で説明したステップＳ１１〜ステップＳ１８の処理に対応する。また、ステップＳ５７及びステップＳ５８の処理は、欠相異常時処理に対応する。ステップＳ５５及びステップＳ５６の処理は、ユニットが通常運転であるか否かを判定することで、ユニットが通常運転の場合にも欠相検知処理を実行させる。
【００７３】
（ステップＳ５１）
空気調和装置１は、ユニットの試運転処理が開始されたか否かを判定する。空気調和装置１は、ユニットの試運転処理が開始された場合、ステップＳ５２に進む。一方、空気調和装置１は、ユニットの試運転処理が開始されない場合、ステップＳ５１に戻る。なお、ユニットは、ここでも上記と同様に、室外ユニット５及び室内ユニット７を含む意味で用いることとする。
【００７４】
（ステップＳ５２）
空気調和装置１は、欠相検知処理を実行する。
【００７５】
（ステップＳ５３）
空気調和装置１は、電源、すなわち、三相交流電源３が欠相異常であるか否かを判定する。空気調和装置１は、電源、すなわち、三相交流電源３が欠相異常である場合、ステップＳ５７に進む。一方、空気調和装置１は、電源、すなわち、三相交流電源３が欠相異常でない場合、ステップＳ５４に進む。
【００７６】
（ステップＳ５４）
空気調和装置１は、ユニットの試運転処理を終了する。
【００７７】
（ステップＳ５５）
空気調和装置１は、ユニットの通常運転処理が開始されたか否かを判定する。空気調和装置１は、ユニットの通常運転処理が開始された場合、ステップＳ５６に進む。一方、空気調和装置１は、ユニットの通常運転処理が開始されない場合、ステップＳ５５に戻る。
【００７８】
（ステップＳ５６）
空気調和装置１は、ユニットが通常運転中であるか否かを判定する。空気調和装置１は、ユニットが通常運転中である場合、ステップＳ５２に戻る。一方、空気調和装置１は、ユニットが通常運転中でない場合、ステップＳ５６に戻る。
【００７９】
（ステップＳ５７）
空気調和装置１は、ユニットの運転を停止する。
【００８０】
（ステップＳ５８）
空気調和装置１は、高調波抑制装置１７を停止し、各種処理を終了する。
【００８１】
なお、上記で説明したステップＳ３５及びステップＳ３６の処理は、何れの処理が先であっても後であってもよく、また、同時に処理されてもよい。
【００８２】
以上の説明から、本実施の形態１は、空気調和装置１で通常設けられる系統用の電流の検出器と、高調波の抑制動作に用いる電流の検出器と、が、電流検出器２１及び電流検出器２３で兼用されるため、全体として、空気調和装置１の部品点数を削減し、空気調和装置１のコストを削減することができる。また、本実施の形態１は、三相交流電源３の欠相状態が欠相異常である場合には高調波抑制装置１７及び空気調和装置１のそれぞれの動作を停止させるため、三相交流電源３の欠相状態が欠相異常であっても空気調和装置１を確実に保護することができる。
【００８３】
以上、本実施の形態１において、三相交流電源３から供給される電力に応じて動作する圧縮機を備えた空気調和装置１であって、圧縮機を駆動させる圧縮機モータ４１と、三相交流電源３と、圧縮機モータ４１とを接続する電源線を流れる電流を検出する電流検出器２１、２３と、電流検出器２１、２３が接続され、電流検出器２１、２３の検出結果に応じて電力に含まれる高調波成分を抑制する高調波抑制装置１７と、電流検出器２１、２３の検出結果に応じて圧縮機モータ４１を制御する制御回路１５と、電流検出器２１、２３の検出結果に応じて三相交流電源３の欠相状態が欠相異常であるか否かを判定する欠相処理部１９と、を備え、欠相処理部１９は、欠相異常と判定した場合、制御回路１５及び高調波抑制装置１７のそれぞれに停止命令を供給する空気調和装置１が構成される。
【００８４】
したがって、本実施の形態１は、空気調和装置１の部品点数を削減すると共に、三相交流電源３の欠相状態が欠相異常である場合には高調波抑制装置１７及び空気調和装置１のそれぞれの動作を停止させるため、空気調和装置１のコストを削減すると共に、三相交流電源３の欠相状態が欠相異常であっても空気調和装置１を確実に保護することができる。
【００８５】
また、本実施の形態１において、高調波抑制装置１７は、欠相処理部１９が組み込まれ、電流検出器２１、２３の検出結果を欠相処理部１９に供給し、停止命令を受けた場合、高調波抑制装置１７を停止し、欠相処理部１９は、停止命令として、制御回路１５に電源異常信号を供給し、制御回路１５は、電源異常信号を受けた場合、圧縮機モータ４１を停止させる。
【００８６】
したがって、本実施の形態１は、空気調和装置１の部品点数を削減すると共に、三相交流電源３の欠相状態が欠相異常である場合には高調波抑制装置１７及び空気調和装置１のそれぞれの動作を停止させるため、特に顕著に、空気調和装置１のコストを削減すると共に、三相交流電源３が欠相異常であっても空気調和装置１を確実に保護することができる。
【００８７】
実施の形態２．
【００８８】
図６は、本発明の実施の形態２における空気調和装置１の駆動回路構成の一例を示す図である。図６に示すように、本実施の形態２における実施の形態１との相違点は、欠相処理部１９が制御回路１５に組み込まれた点である。この構成で、欠相処理部１９は、電流検出器２１の検出結果と、電流検出器２３の検出結果とを、高調波抑制装置１７を介して取得する。この結果、高調波抑制装置１７から制御回路１５には、異常信号であるロジック信号ではなく、電流値に対応するものが供給される。よって、通信線３３におけるＳ／Ｎ比は向上する。
【００８９】
図７は、本発明の実施の形態２における制御回路１５に組み込まれた場合の欠相処理部１９の機能構成の一例を示す図である。図７に示すように、制御回路１５に構成される動作停止指令部２７は、高調波抑制装置１７に高調波抑制装置動作停止指令を供給する。高調波抑制装置１７は、制御回路１５から高調波抑制装置動作停止指令が供給された場合、自機である高調波抑制装置１７の動作を停止する。なお、その他の機能構成については、上記で説明した実施の形態１と同様であるため、それらの説明については省略する。
【００９０】
以上の説明から、本実施の形態２は、欠相処理部１９が制御回路１５に組み込まれた場合であっても、空気調和装置１の部品点数を削減すると共に、三相交流電源３の欠相状態が欠相異常である場合には高調波抑制装置１７及び空気調和装置１のそれぞれの動作を停止させるため、特に顕著に、空気調和装置１のコストを削減すると共に、三相交流電源３が欠相異常であっても空気調和装置１を確実に保護することができる。
【００９１】
また、本実施の形態２は、高調波抑制装置１７から制御回路１５にはロジック信号ではなく電流値に対応する信号が供給されるため、通信線３３におけるＳ／Ｎを向上させることができる。
【００９２】
以上、本実施の形態２において、高調波抑制装置１７は、電流検出器２１、２３の検出結果である電流値を制御回路１５に供給し、停止命令を受けた場合、高調波抑制装置１７を停止し、制御回路１５は、欠相処理部１９が組み込まれ、停止命令を受けた場合、圧縮機モータ４１を停止させる。
【００９３】
したがって、本実施の形態２は、空気調和装置１の部品点数を削減すると共に、三相交流電源３の欠相状態が欠相異常である場合には高調波抑制装置１７及び空気調和装置１のそれぞれの動作を停止させるため、特に顕著に、空気調和装置１のコストを削減すると共に、三相交流電源３が欠相異常であっても空気調和装置１を確実に保護することができる。
【００９４】
実施の形態３．
図８は、本発明の実施の形態３における空気調和装置１の駆動回路構成の一例を示す図である。図８に示すように、本実施の形態３における実施の形態１及び２との相違点は、高調波抑制装置１７に欠相検知部７１及び欠相処理部７３が組み込まれ、欠相検知部７１が電流値ではなく電圧値に基づいて、処理が実行される点である。
【００９５】
欠相検知部７１は、詳細については後述するが、例えば、三相交流電源３の相間電圧のゼロクロスポイントを検出し、三相交流電源３の欠相状態が欠相異常であるか否かを判定する。欠相処理部７３は、上記の実施の形態１で説明した場合と同様に、三相交流電源３の欠相状態が欠相異常である場合、制御回路１５に異常信号であるロジック信号を供給する。
【００９６】
図９は、本発明の実施の形態３における高調波抑制装置１７に組み込まれた場合の欠相検知部７１及び欠相処理部７３の機能構成の一例を示す図である。図９に示すように、欠相検知部７１は、第１ゼロクロス検出部８１、第２ゼロクロス検出部８３、及び波形判定部８５を備える。第１ゼロクロス検出部８１は、例えば、三相交流電源３のＲ相と、三相交流電源３のＳ相との間に接続され、三相交流電源３のＲ相と三相交流電源３のＳ相との間に印加される電圧からＲＳ相間電圧のゼロクロスを示す相間電圧に関する信号を発生させる。第２ゼロクロス検出部８３は、例えば、三相交流電源３のＳ相と、三相交流電源３のＴ相との間に接続され、三相交流電源３のＳ相と三相交流電源３のＴ相との間に印加される電圧からＳＴ相間電圧のゼロクロスを示す相間電圧に関する信号を発生させる。
【００９７】
波形判定部８５は、第１ゼロクロス検出部８１の出力と、第２ゼロクロス検出部８３の出力とに基づいて、三相交流電源３のＲ相、Ｓ相、及びＴ相の各相の欠相状態が欠相異常であるかを判定する。例えば、Ｒ相が欠相している場合、第１ゼロクロス検出部８１の出力をハイ・インピーダンス状態として設定することで、波形判定部８５は、Ｒ相の欠相状態を検出し、三相交流電源３が欠相異常であると判定してもよい。また、例えば、Ｔ相が欠相している場合、第２ゼロクロス検出部８３の出力をハイ・インピーダンス状態として設定することで、波形判定部８５は、Ｔ相の欠相状態を検出し、三相交流電源３が欠相異常であると判定してもよい。
【００９８】
また、例えば、Ｓ相が欠相している場合、第１ゼロクロス検出部８１から出力される信号と、第２ゼロクロス検出部８３から出力される信号とは、同波形となるため、波形判定部８５は、第１ゼロクロス検出部８１の出力と、第２ゼロクロス検出部８３の出力との位相差を比較することで、Ｓ相の欠相状態を検出し、三相交流電源３が欠相状態であると判定してもよい。
【００９９】
欠相処理部７３は、実施の形態１及び２との相違点は、実施の形態１及び２における欠相検知部５１が設けられない状態で、欠相判定部５３、試運転判定部５５、及び欠相判定始動部５７が設けられている。なお、その他の機能構成については、上記で説明した実施の形態１と同様であるため、その説明については省略する。
【０１００】
以上の説明から、本実施の形態３は、欠相処理部７３が三相交流電源３の相間電圧で欠相状態が欠相異常であるか否かを判定する場合であっても、空気調和装置１の部品点数を削減すると共に、三相交流電源３の欠相状態が欠相異常である場合には高調波抑制装置１７及び空気調和装置１のそれぞれの動作を停止させるため、特に顕著に、空気調和装置１のコストを削減すると共に、三相交流電源３が欠相異常であっても空気調和装置１を確実に保護することができる。
【０１０１】
以上、本実施の形態３において、電源線に印加される電圧に基づいて欠相異常を検知する欠相検知部７１をさらに備え、欠相処理部７３は、欠相検知部７１から検知結果が供給された場合、検知結果に基づいて欠相異常を判定するものであって、高調波抑制装置１７は、欠相検知部７１及び欠相処理部７３が組み込まれ、停止命令を受けた場合、高調波抑制装置１７を停止し、欠相処理部７３は、停止命令として、制御回路１５に電源異常信号を供給し、制御回路１５は、電源異常信号を受けた場合、圧縮機モータ４１を停止させる。
【０１０２】
したがって、本実施の形態３は、空気調和装置１の部品点数を削減すると共に、三相交流電源３の欠相状態が欠相異常である場合には高調波抑制装置１７及び空気調和装置１のそれぞれの動作を停止させるため、特に顕著に、空気調和装置１のコストを削減すると共に、三相交流電源３が欠相異常であっても空気調和装置１を確実に保護することができる。
【０１０３】
実施の形態４．
図１０は、本発明の実施の形態４における空気調和装置１の駆動回路構成の一例を示す図である。本実施の形態４における実施の形態１〜３との相違点は、欠相検知部７１が高調波抑制装置１７に組み込まれ、欠相処理部７３が制御回路１５に組み込まれている点である。
【０１０４】
図１１は、本発明の実施の形態４における高調波抑制装置１７に組み込まれた場合の欠相検知部９１及び制御回路１５に含まれる欠相処理部９３のそれぞれの機能構成の一例を示す図である。図１１に示すように、欠相検知部９１は、第１ゼロクロス検出部８１及び第２ゼロクロス検出部８３を備える。欠相処理部９３は、波形判定部８５、欠相判定部５３、試運転判定部５５、及び欠相判定始動部５７を備える。高調波抑制装置１７は、第１ゼロクロス検出部８１の出力と、第２ゼロクロス検出部８３の出力とを制御回路１５に供給する。
【０１０５】
よって、高調波抑制装置１７から制御回路１５に電圧値に対応するものが供給されるため、高調波抑制装置１７から制御回路１５へ供給する信号のＳ／Ｎ比は向上する。また、制御回路１５は、欠相処理部９３から動作停止指令部２７に欠相異常であることを示す欠相判定フラグが供給された場合、動作停止指令部２７を介して、高調波抑制装置１７に高調波抑制装置動作停止指令を供給する。高調波抑制装置１７は、制御回路１５から供給される高調波抑制装置動作停止指令に基づいて、自機である高調波抑制装置１７の動作を停止する。なお、その他の機能構成については、上記で説明した実施の形態１と同様であるため、その説明については省略する。
【０１０６】
以上の説明から、本実施の形態４は、欠相処理部９３が三相交流電源３の相間電圧で欠相状態が欠相異常であるか否かを判定する場合であっても、空気調和装置１の部品点数を削減すると共に、三相交流電源３の欠相状態が欠相異常である場合には高調波抑制装置１７及び空気調和装置１のそれぞれの動作を停止させるため、特に顕著に、空気調和装置１のコストを削減すると共に、三相交流電源３が欠相異常であっても空気調和装置１を確実に保護することができる。
【０１０７】
また、本実施の形態４は、高調波抑制装置１７から制御回路１５にはロジック信号ではなく電圧値に対応する信号が供給されるため、通信線３３におけるＳ／Ｎを向上させることができる。
【０１０８】
以上、本実施の形態４において、電源線に印加される電圧に基づいて欠相異常を検知する欠相検知部９１をさらに備え、欠相処理部９３は、欠相検知部９１から検知結果が供給された場合、検知結果に基づいて欠相異常を判定するものであって、高調波抑制装置１７は、欠相検知部９１が組み込まれ、検知結果を制御回路１５に供給し、停止命令を受けた場合、高調波抑制装置１７を停止し、制御回路１５は、欠相処理部９３が組み込まれ、停止命令を受けた場合、圧縮機モータ４１を停止させる。
【０１０９】
したがって、本実施の形態４は、空気調和装置１の部品点数を削減すると共に、三相交流電源３の欠相状態が欠相異常である場合には高調波抑制装置１７及び空気調和装置１のそれぞれの動作を停止させるため、特に顕著に、空気調和装置１のコストを削減すると共に、三相交流電源３の欠相状態が欠相異常であっても空気調和装置１を確実に保護することができる。
【符号の説明】
【０１１０】
１  空気調和装置、３  三相交流電源、５  室外ユニット、７  室内ユニット、８、９、１０  電源線、１１  コンバータ回路、１２  インバータ回路、１３  インバータ制御回路、１５  制御回路、１７  高調波抑制装置、１９、７３、９３  欠相処理部、２１、２３  電流検出器、２５  動作停止部、２７  動作停止指令部、３１、３３  通信線、４１  圧縮機モータ、５１、７１、９１  欠相検知部、５３  欠相判定部、５５  試運転判定部、５７  欠相判定始動部、６１  電流値演算部、６３  閾値判定部、８１  第１ゼロクロス検出部、８３  第２ゼロクロス検出部、８５  波形判定部。
【図１】
2015033427.tif 000003
【図２】
2015033427.tif 000004
【図３】
2015033427.tif 000005
【図４】
2015033427.tif 000006
【図５】
2015033427.tif 000007
【図６】
2015033427.tif 000008
【図７】
2015033427.tif 000009
【図８】
2015033427.tif 000010
【図９】
2015033427.tif 000011
【図１０】
2015033427.tif 000012
【図１１】
2015033427.tif 000013
【手続補正書】
【提出日】平成27年9月11日(2015.9.11)
【手続補正１】
【補正対象書類名】特許請求の範囲
【補正対象項目名】全文
【補正方法】変更
【補正の内容】
【特許請求の範囲】
【請求項１】
三相交流電源から供給される電力に応じて動作する圧縮機を備えた空気調和装置であって、
前記圧縮機を駆動させる圧縮機モータと、
前記三相交流電源と、前記圧縮機モータとを接続する電源線を流れる電流を検出する電流検出器と、
前記電流検出器が接続され、前記電流検出器の検出結果に応じて前記電力に含まれる高調波成分を抑制する高調波抑制装置と、
前記電流検出器の検出結果に応じて前記圧縮機モータを制御する制御回路と、
前記電流検出器の検出結果に応じて前記三相交流電源の欠相状態が欠相異常であるか否かを判定する欠相処理部と、
を備え、
前記欠相処理部は、
前記欠相異常と判定した場合、前記制御回路及び前記高調波抑制装置のそれぞれに停止命令を供給する
ことを特徴とする空気調和装置。
【請求項２】
前記高調波抑制装置は、
前記欠相処理部が組み込まれ、
前記電流検出器の検出結果を前記欠相処理部に供給し、
前記停止命令を受けた場合、当該高調波抑制装置を停止し、
前記欠相処理部は、
前記停止命令として、前記制御回路に電源異常信号を供給し、
前記制御回路は、
前記電源異常信号を受けた場合、前記圧縮機モータを停止させる
ことを特徴とする請求項１に記載の空気調和装置。
【請求項３】
前記高調波抑制装置は、
前記電流検出器の検出結果である電流値を前記制御回路に供給し、
前記停止命令を受けた場合、当該高調波抑制装置を停止し、
前記制御回路は、
前記欠相処理部が組み込まれ、
前記停止命令を受けた場合、前記圧縮機モータを停止させる
ことを特徴とする請求項１に記載の空気調和装置。
【請求項４】
三相交流電源から供給される電力に応じて動作する圧縮機を備えた空気調和装置であって、
前記圧縮機を駆動させる圧縮機モータと、
前記三相交流電源と、前記圧縮機モータとを接続する電源線を流れる電流を検出する電流検出器と、
前記電流検出器が接続され、前記電流検出器の検出結果に応じて前記電力に含まれる高調波成分を抑制する高調波抑制装置と、
前記電流検出器の検出結果に応じて前記圧縮機モータを制御する制御回路と、
前記電源線に印加される電圧に基づいて前記三相交流電源の欠相状態が欠相異常であるか否かを判定する欠相検知部と、
前記欠相検知部が欠相異常であると判定した場合、前記制御回路及び前記高調波抑制装置のそれぞれに停止命令を供給する欠相処理部と、を備え、
前記高調波抑制装置は、
前記欠相検知部及び前記欠相処理部が組み込まれ、
前記停止命令を受けた場合、当該高調波抑制装置を停止し、
前記制御回路は、
前記停止命令を受けた場合、前記圧縮機モータを停止させる
ことを特徴とする空気調和装置。
【請求項５】
三相交流電源から供給される電力に応じて動作する圧縮機を備えた空気調和装置であって、
前記圧縮機を駆動させる圧縮機モータと、
前記三相交流電源と、前記圧縮機モータとを接続する電源線を流れる電流を検出する電流検出器と、
前記電流検出器が接続され、前記電流検出器の検出結果に応じて前記電力に含まれる高調波成分を抑制する高調波抑制装置と、
前記電流検出器の検出結果に応じて前記圧縮機モータを制御する制御回路と、
前記電源線に印加される電圧を検知する欠相検知部と、
前記欠相検知部が検知した前記電圧に基づいて前記三相交流電源の欠相状態が欠相異常であるか否かを判定し、欠相異常と判定した場合、前記制御回路及び前記高調波抑制装置のそれぞれに停止命令を供給する欠相処理部と、を備え、
前記高調波抑制装置は、
前記欠相検知部が組み込まれ、
前記停止命令を受けた場合、当該高調波抑制装置を停止し、
前記制御回路は、
前記欠相処理部が組み込まれ、
前記停止命令を受けた場合、前記圧縮機モータを停止させる
ことを特徴とする空気調和装置。
【国際調査報告】
2015033427.tif 000014
2015033427.tif 000015
2015033427.tif 000016
2015033427.tif 000017